(57)【要約】【課題】  直接飲むタイプのスポーツボトル等水筒を収納する水筒等飲料容器用カバーにおいて、水筒がカバーから確実に抜け出ないようにする。【解決手段】  上部開口部８を有し内部に略円筒状の水筒１を収納する略円筒状のカバー７において、カバー本体10の上部開口部８の幅を調整する開口部調整部材13を設ける。カバー本体10の内面側に配置されカバー本体10内部に収納した水筒１の側面18に当接する内向きの滑り止め部材19を設ける。上部開口部８を狭めるように締め付けることにより、水筒１が横向きに保持された時の振幅や、携帯時の振動、飲む際に傾けた時の傾斜等によりカバー７から水筒１が抜け出て落下することを抑制することができる。【選択図】図１
2006176170.tif 000002
【特許請求の範囲】
【請求項１】
上部開口部を有し内部に略円筒状の水筒等飲料容器を収納する略円筒状のカバー本体と、前記カバー本体の上部開口部の幅を調整する開口部調整部材と、前記カバー本体の内面側に配置され前記カバー本体内部に収納した前記飲料容器の側面に当接する滑り止め部材を有することを特徴とする水筒等飲料容器用カバー。
【請求項２】
前記滑り止め部材を前記カバー本体の内面側に内向きに設けたことを特徴とする請求項１記載の水筒等飲料容器用カバー。
【請求項３】
前記カバー本体に設置された前記開口部調整部材の位置に対して、その内面に前記滑り止め部材を配置したことを特徴とする請求項１又は２記載の水筒等飲料容器用カバー。
【請求項４】
前記カバー本体に設置された前記開口部調整部材の位置に対して、その対面に滑り止め部材を配置したことを特徴とする請求項１又は２記載の水筒等飲料容器用カバー。
【請求項５】
前記カバー本体に、前記飲料容器を収納した状態で前記カバー本体が略横向きの状態で、前記カバー本体を保持、吊持または携帯可能な保持部材を設けると共に、略横向き状態において、前記滑り止め部材が前記飲料容器の重力を受ける側に当接する位置となるように配置したことを特徴とする請求項１又は２記載の水筒等飲料容器用カバー。
【請求項６】
前記カバー本体に収納された前記飲料容器の上部が、前記上部開口部から一部露出した状態で収納されることを特徴とする請求項１〜５のいずれか１項に記載の水筒等飲料容器用カバー。
【請求項７】
略円筒状の水筒等飲料容器と、前記飲料容器を内部に上部開口部を介して収納するように収納可能な略円筒状のカバー本体と、前記飲料容器の側面に配置され前記カバー本体の内面に当接する滑り止め部材を有することを特徴とするカバー付き水筒等飲料容器。
【請求項８】
前記カバー本体の上部開口部の幅を調整する開口部調整部材を有することを特徴とする請求項７記載のカバー付き水筒等飲料容器。
【請求項９】
前記カバー本体に収納された前記飲料容器の上部が、前記上部開口部から一部露出した状態で収納されることを特徴とする請求項７又は８記載のカバー付き水筒等飲料容器。
【発明の詳細な説明】
【技術分野】
【０００１】
本発明は、水、スポーツ飲料等を収容する一重容器或は断熱二重容器等からなる水筒等飲料容器用カバー及びカバー付き水筒等飲料容器に関するものである。
【背景技術】
【０００２】
水筒を収納する水筒カバーは、水筒全体が全て収納されて外部に露出しないフルカバータイプのボトル用ポーチ形状（例えば特許文献１）と、水筒の上部がカバーの上部開口から露出するカバータイプのボトル用セミポーチ形状が公知である（例えば特許文献２,３）。
【０００３】
前者の水筒においては、コップと中栓が付属している仕様で、フルカバータイプのボトル用ポーチのカバーに収納して携帯して使用され、そして飲料を飲む際は、カバーから水筒を取り出し、コップに注ぐものである。
【０００４】
一方、後者の水筒は近年市場に浸透しているものであって、スポーツボトルやストローボトルといった、コップが付属されてなく、栓体に設けられた飲み口から直接飲む仕様のもので使われている。そして、飲料の飲む際は、ポーチから取り出すことをせずに、上部開口から露出している栓体の飲み口キャップ等を開閉し、ＰＥＴボトルと同様に直接飲むものである。
【０００５】
さらに、直接水筒から飲料を飲むスポーツボトルやストローボトル等水筒として、側面に、凹部や凸部を形成したり、エラストマー樹脂やシリコン樹脂を筒に巻き付けるなどして滑り止めを設けた飲料容器が公知である（特許文献４）。
【特許文献１】意匠登録第１０６９９４７号公報
【特許文献２】意匠登録第１２１１４１１１号公報
【特許文献３】意匠登録第１２１３６５１号公報
【特許文献４】特開平１１−２５３３３０号公報
【発明の開示】
【発明が解決しようとする課題】
【０００６】
前記滑り止めを設けた飲料容器においては、水筒を握る際滑り止めによって水筒が手より抜け出ることを防ぐものであるが、滑り止めを設けていない飲料容器にあって、直接水筒から飲む前記スポーツボトルやストローボトル等水筒を収納する上部開口から水筒の上部が露出するセミポーチ型の水筒用カバーにおいては、携帯時に、横向きで保持した場合、吊下げた際の振動等により、水筒がカバーから抜け出して落下したり、カバーに収納したまま飲む場合、水筒及びカバーを保持して傾けて飲む際に、特に残量が減って傾斜角度が大きくなった場合に、重力により水筒がカバーから抜け出て落下するおそれがあった。
【０００７】
さらに、前記セミポーチ型の水筒用カバーにおいては、カバーに水筒が遊嵌して収容されるため、上部にある蓋体や飲み口カバーを開閉させた場合に水筒が共回りとなって空回りしてしまい、この結果蓋体や飲み口カバーをきちんと開閉できなくなるという問題がある。
【０００８】
このような問題を解決する手段として、直接飲むタイプのスポーツボトル等水筒を、フルカバータイプの水筒用カバー、すなわち上部開口から水筒の上部が露出しないタイプに収納することが考えられるが、このような場合には飲む際にいちいちスポーツボトル等水筒をポーチから取り出す手間が必要となる問題がある。
【０００９】
解決しようとする問題点は、直接飲むタイプのスポーツボトルなどの水筒等飲料容器を収納する水筒等飲料容器用カバーにおいて、飲料容器がカバーから確実に抜け出ないようにしたり、飲料容器がカバーに対して共回りとなって空回りしないようにする点である。また、解決しようとする問題点は、直接飲むタイプのスポーツボトルなどの水筒等飲料容器をカバーに収納したカバー付き水筒等飲料容器において、飲料容器がカバーから確実に抜け出ないようにする点である。
【課題を解決するための手段】
【００１０】
請求項１の発明は、上部開口部を有し内部に略円筒状の水筒等飲料容器を収納する略円筒状のカバー本体と、前記カバー本体の上部開口部の幅を調整する開口部調整部材と、前記カバー本体の内面側に配置され前記カバー本体内部に収納した前記飲料容器の側面に当接する滑り止め部材を有することを特徴とする水筒等飲料容器用カバーである。
【００１１】
請求項２の発明は、前記滑り止め部材を前記カバー本体の内面側に内向きに設けたことを特徴とする請求項１記載の水筒等飲料容器用カバーである。
【００１２】
請求項３の発明は、前記カバー本体に設置された前記開口部調整部材の位置に対して、その内面に前記滑り止め部材を配置したことを特徴とする請求項１又は２記載の水筒等飲料容器用カバーである。
【００１３】
請求項４の発明は、前記カバー本体に設置された前記開口部調整部材の位置に対して、その対面に滑り止め部材を配置したことを特徴とする請求項１又は２記載の水筒等飲料容器用カバーである。
【００１４】
請求項５の発明は、前記カバー本体に、前記飲料容器を収納した状態で前記カバー本体が略横向きの状態で、前記カバー本体を保持、吊持または携帯可能な保持部材を設けると共に、略横向き状態において、前記滑り止め部材が前記飲料容器の重力を受ける側に当接する位置となるように配置したことを特徴とする請求項１又は２記載の水筒等飲料容器用カバーである。
【００１５】
請求項６の発明は、前記カバー本体に収納された前記飲料容器の上部が、前記上部開口部から一部露出した状態で収納されることを特徴とする請求項１〜５のいずれか１項に記載の水筒等飲料容器用カバーである。
【００１６】
請求項７の発明は、略円筒状の水筒等飲料容器と、前記飲料容器を内部に上部開口部を介して遊嵌するように収納可能な略円筒状のカバー本体と、前記飲料容器の側面に配置され前記カバー本体の内面に当接する滑り止め部材を有することを特徴とするカバー付き水筒等飲料容器である。
【００１７】
請求項８の発明は、前記カバー本体の上部開口部の幅を調整する開口部調整部材を有することを特徴とする請求項７記載のカバー付き水筒等飲料容器である。
【００１８】
請求項９の発明は、前記カバー本体に収納された前記飲料容器の上部が、前記上部開口部から一部露出した状態で収納されることを特徴とする請求項７又は８記載のカバー付き水筒等飲料容器である。
【発明の効果】
【００１９】
請求項１の発明によれば、上部開口を狭めるように締め付け、さらにはカバー本体の内面側に配置した滑り止め部材を設けることにより、水筒等飲料容器が横向きに保持された時等によりカバーから飲料容器が抜け出て落下することを抑制することができる。
【００２０】
請求項２の発明によれば、前記滑り止め部材を内向きに設けることにより、飲料容器が横向きに保持された時に滑り止め部材を飲料容器に確実に当接して滑り止めすることができる。
【００２１】
請求項３の発明によれば、開口部調整部材を締め付けた時に、その締め付け力によって滑り止め部材が飲料容器に当接されるため、滑り止め、抜け落ち防止を十分に発揮できる。
【００２２】
請求項４の発明によれば、開口部調整部材を締め付けた時に、カバー本体の側面を介して伝わる締め付け力がほぼ等分に反対側の締め付け部材に作用して、滑り止め部材が適度に飲料容器の中心軸に向って当接され、滑り止めの効果が十分発揮される。
【００２３】
請求項５の発明によれば、横向き保持状態で飲料容器の重力が滑り止め部材に作用するため、滑り止め部材と飲料容器との当接が強くなり、滑り止めの効果が十分に発揮される。
【００２４】
請求項６の発明によれば、飲料容器に収容した飲料を飲む際にいちいち収納された水筒をカバーより取り出したり、締め付け部材を緩めたりする手間をかけなくてもすむことができ、さらに飲料容器がカバーに対して共回りとなって空回りすることを抑制することができる。
【００２５】
請求項７の発明によれば、飲料容器の側面に配置され前記カバー本体の内面に当接する滑り止め部材を設けることにより、水筒等飲料容器が横向きに保持された時等によりカバーから飲料容器が抜け出て落下することを抑制することができる。
【００２６】
請求項８の発明によれば、開口部調整部材によってカバー本体の上部開口を狭めるように締め付けて、カバーから飲料容器が抜け出ることをいっそう抑制することができる。
【００２７】
請求項９の発明によれば、飲料容器に収容した飲料を飲む際にいちいち収納された水筒をカバーより取り出したりする手間をかけなくてもすむことができ、さらに飲料容器がカバーに対して共回りとなって空回りすることを抑制することができる。
【発明を実施するための最良の形態】
【００２８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２９】
図１〜図７は実施例１を示しており、図１に示すように水、スポーツ飲料等を収容する一重容器或は断熱二重容器等からなるスポーツボトル等と称せられる飲料容器としての水筒１は、有底な略円筒状の水筒本体２の上部にキャップ状の蓋体３が着脱自在に設けられており、この蓋体３は外径がほぼ水筒本体２の外径と同じように形成されており、蓋体３の上部には肩部４を介して飲み口５が小径な円筒状となって上方へ向けて突設している。さらに、飲み口５の上方には該飲み口５を覆うように飲み口カバー６が開閉自在に設けられている。尚、蓋体３の側面に後述する上部開口部が係止するような凹凸を設けておいてもよい。
【００３０】
前記水筒１を内部に収納する水筒用カバー７は、上部開口部８を有すると共に底部９を有する略円筒状のカバー本体10を化学繊維等繊維製生地によって形成している。該カバー本体10は水筒１の上部たる蓋体３がカバー本体10の上部開口から露出するボトル用セミポーチ型であって、その全長は水筒本体２の全長とほぼ同じで、内径は水筒本体２の外径よりやや大きく形成して、カバー本体10に水筒本体２が遊嵌して収納されるようになっている。さらに、カバー本体10の側面には保持部材11を設けている。この保持部材11は水筒１を収納した状態でカバー本体10が略横向きの状態で、カバー本体10を保持、吊持または携帯可能にするもので、カバー本体10の中心軸12方向に沿ってグリップ状に設けている。
【００３１】
そして、カバー本体10の上部開口部８に、該上部開口部８の幅、すなわち直径を調整する開口幅調整部材13を設けている。この開口幅調整部材13は、前記中心軸12方向を中心として保持部材11からほぼ９０度離れて配置されるものであって、カバー本体10の上部開口部８から該カバー本体10の中心軸12方向に沿って形成した切り込み部14の一方に周方向に突片15を設けると共にこの突片15の先端側の内面に固定部16を設け、切り込み部14の他方の外面に前記固定部16が固定可能な固定受け部17を設けている。実施例１では固定部16及び固定受け部17を着脱自在な一対の雄、雌の面ファスナーによって形成している。
【００３２】
さらに、カバー本体10に内部に収納した水筒１の側面18に当接する内向きの滑り止め部材19を設ける。この滑り止め部材19は、カバー本体10の生地よりも摩擦係数が大きいものであって、例えばゴム等よりなり、シート或はフィルムのように平面状の小片であって、その切り込み部14の他方の内面に貼着している。滑り止め部材19の幅は、内周の全域から例えば内周長さの１／１０程度であり、また滑り止め部材19の長さは、切り込み部14の全域から例え切り込み部長さの１／３程度である。
【００３３】
次に前記構成についてその作用を説明する。図１に示すように予め固定部16を固定受け部17より離して上部開口部８の開口幅を大きく形成し、次に上部開口部８より水筒１を挿入して、蓋体３があらわれるようにして水筒本体２をカバー７に収納する。そして、図２、図３に示すように突片15を他方に巻き込むようにやや引張って固定部16を固定受け部17に密着固定した状態で止着する。このように開口幅調整部材13によって上部開口部８の幅を狭めることにより、上部開口部８によって水筒本体２の抜け止め作用をなす。そして滑り止め部材19は水筒本体２の外面に当接して水筒本体２がカバー本体10より抜け出ないように滑り止めされる。
【００３４】
したがって、図５のように保持部材11を握って水筒１を横向きとして携帯するときなどにおいても、開口幅調整部材13によって上部開口部８の幅を狭めて水筒本体２の抜け止め作用をなし、さらに開口幅調整部材13により上部開口部８が締め付けられることで滑り止め部材19が水筒本体２に押し付けられるようになって水筒本体２がカバー本体10より抜け出ないようにすることで、安心して携帯することができる。そして水筒１に収容した飲料を飲むときには、図６或いは図７に示すように飲み口カバー６を開いて飲み口５をあらわし、水筒１及びカバー７を保持して傾けて飲み口５を口に向けて飲むというものである。
【００３５】
以上のように、前記実施例においては上部開口部８を有し内部に略円筒状の水筒１を収納する略円筒状のカバー７において、カバー本体10の上部開口部８の幅を調整する開口部調整部材13を設けたことにより、上部開口部８を狭めるように締め付け、さらにはカバー本体10の内面側に配置されカバー本体10内部に収納した水筒１の側面18に当接する滑り止め部材19を設けることにより、水筒１が横向きに保持された時の振幅や、携帯時の振動、飲む際に傾けた時の傾斜等によりカバー７から水筒１が抜け出て落下することを抑制することができる。
【００３６】
また、前記滑り止め部材19を内向きに設けることにより、水筒１が横向きに保持された時に滑り止め部材19を水筒１に確実に当接して滑り止めすることができる。
【００３７】
さらに、前記カバー本体10に設置された開口部調整部材13の位置に対して、その内面に滑り止め部材19を配置したことにより、滑り止め部材19が直接に水筒本体２に当接し、しかも開口部調整部材13を締め付けた時に、その締め付け力によって滑り止め部材19が水筒本体２に当接されるため、滑り止め、抜け落ち防止を十分に発揮できる。
【００３８】
しかも、カバー本体10に収納された前記水筒１の上部たる蓋体３が、前記上部開口部８から一部露出するような状態で収納されることで、水筒１に収容した飲料を飲む際にいちいち収納された水筒をカバーより取り出したり、締め付け部材を緩めたりする手間をかけなくても、水筒のコップや中栓の着脱や開閉、注ぎ操作を行うことができ、効率的である。またスポーツボトル等の直に飲むタイプの水筒を収容した場合も、カバーから取り出すことなくそのまま保持した状態で、飲み口のキャップの開閉や飲む操作を行うことができ効率的である。また、滑り止め部材19によって水筒１がカバー本体10に対して共回りとなって空回りすることを抑制することができるので、所定角度を保って正しく蓋体３や飲み口カバー６を開閉することができる。
【実施例２】
【００３９】
図８〜図10は実施例２を示しており、実施例２は以下の他の実施例と同様に前記実施例１と同一部分には同一符号を付し、その詳細な説明を省略する。実施例２においては、カバー本体10の内面に設けられる滑り止め部材19は、カバー本体10に設置された開口部調整部材13の位置に対して、その対面に配置している。すなわち図10に示すように保持部材11を中心としてその一側に開口部調整部材13が設けられると共に、他側の内面に滑り止め部材19が設けられているものである。
【００４０】
したがって、保持部材11を握って水筒１を横向きとして携帯するときなどにおいても、開口幅調整部材13によって上部開口部８の幅を狭めて水筒本体２の抜け止め作用をなし、さらに開口幅調整部材13により上部開口部８が締め付けられることで水筒本体２が滑り止め部材19に押し付けられるようになって水筒本体２がカバー本体10より抜け出ないようにすることで、安心して携帯することができる。
【００４１】
以上のように実施例２では、実施例１で記載した効果の他に開口幅調整部材13の反対側、すなわち収容された水筒１を介して互いに反対側の位置に滑り止め部材19を設置することにより、開口部調整部材13を締め付けた時に、カバー本体10の側面を介して伝わる締め付け力がほぼ等分に反対側の滑り止め部材19に作用するため、滑り止め部材19が適度に水筒１の中心軸12に向って当接されるため、滑り止めの効果が十分発揮される。
【実施例３】
【００４２】
図11〜図13は実施例３を示しており、実施例３においては、カバー本体10の内面に設けられる滑り止め部材19を、開口部調整部材13の位置に対して、中心軸12を中心にして角度９０度回転させた方向に配置したものである。すなわち図13に示すように保持部材11と対向するようにカバー本体10の内面に設けられているものである。
【００４３】
したがって、保持部材11を握って水筒１を横向きとして携帯するときなどにおいても、開口幅調整部材13によって上部開口部８の幅を狭めて水筒本体２の抜け止め作用をなし、さらに水筒１を横向きにした状態では開口幅調整部材13の締め付け力の他に水筒１の重量で該水筒１を滑り止め部材19に押し付けるようになって水筒本体２がカバー本体10より抜け出ないようにすることで、安心して携帯することができる。
【００４４】
以上のように実施例３では、実施例１で記載した効果の他にカバー本体10を保持部材11で横向きとした際に、収納された水筒１の下面側となる位置に滑り止め部材19を設置することにより、横向き保持状態で水筒１の重力が滑り止め部材19に作用するため、滑り止め部材19と水筒本体２との当接が強くなり、滑り止めの効果が十分に発揮される。
【実施例４】
【００４５】
図14は実施例４を示しており、実施例４においては、開口幅調整部材13を切り込み部14を開閉し操作部21の操作により開閉するジッパー22によって形成したものである。
【００４６】
このように開口幅調整部材13をジッパー22によって形成することで、操作部21を移動することで水筒本体２の締め付け力を簡単に発揮することができる。
【実施例５】
【００４７】
図15〜図16は実施例５を示しており、実施例５においては、開口幅調整部材13を切り込み部を着脱自在に開閉するリベット、ボタン或はハトメ金具等着脱部材31によって形成したものである。
【００４８】
このように開口幅調整部材13をリベット、ボタン或はハトメ金具類により形成することでワンタッチで開口幅調整部材13を操作することができる。
【実施例６】
【００４９】
図17〜図18は実施例６を示しており、実施例６においては、開口幅調整部材13を上部開口部８に沿わせると共に、その両端を切り込み部14で開口した袋部41に挿入した紐状体42或はバンド状体によって形成したものであり、紐状体42或はバンド状体を切り込み部14側において引き出すことにより上部開口部８を狭めることができるようにしたものである。
【００５０】
このように開口幅調整部材13を紐状体41或はバンド状体により形成することで紐状体41或はバンド状体を引いたり戻したりすることで開口幅調整部材13を簡単に操作することができる。
【実施例７】
【００５１】
図19は実施例７を示しており、実施例７においては、切り込み部14に１本の紐状体51或はバンド状体を網状に編んで設けると共に、その両端を上部開口部８側に取り出して、その両端を引き出すことにより上部開口部８を狭めることができるようにしたものである。
【００５２】
このように開口幅調整部材を網状に編んで設けた紐状体或はバンド状体により形成することで紐状体或はバンド状体を引いたり戻したりすることで開口幅調整部材を簡単に操作することができる。
【実施例８】
【００５３】
図20は実施例８を示しており、実施例８においては、開口幅調整部材13を両側にそれぞれ設けた雄雌一対のバックル具61，62によって形成したものであり、一対のバックル具61，62を接続することで上部開口部８を狭めることができるようにしたものである。
【００５４】
このように開口幅調整部材13を雌雄一対のバックル具61，62により形成することでバックル具61，62の着脱により開口幅調整部材13を簡単に操作することができる。
【実施例９】
【００５５】
図21〜図22は実施例９を示しており、実施例９においては、開口幅調整部材13を両側にそれぞれ設けたベルト71とベルト受け金具72によって形成したものであり、ベルト71をベルト受け金具72に接続固定することで上部開口部８を狭めることができるようにしたものである。
【００５６】
このように開口幅調整部材13をベルト71とベルト受け金具72により形成することでベルト71の着脱により開口幅調整部材13を簡単に操作することができる。
【実施例１０】
【００５７】
図23は実施例10を示しており、実施例10においては、保持部材11をグリップ式ではなく、肩等にかけられる吊り紐としたものである。
【００５８】
このように保持部材を吊り紐型とすることにより、肩に吊り紐をかけて水筒１を横向きとして携帯することができる。
【実施例１１】
【００５９】
図24は実施例11を示しており、実施例11のカバー付き水筒においては、略円筒状の水筒１は、略円筒状のカバー本体10の内部に収納されるものであって、カバー本体10の上部開口部８を介して遊嵌して収納できるようになっている。そして、前記カバー本体10に収納された水筒１の上部たる蓋体３側が、前記上部開口部８から一部露出した状態で収納されるようになっている。また、カバー本体10にはその上部開口部８の幅を調整する開口部調整部材13を有している。
【００６０】
さらに、水筒１の側面に配置され前記カバー本体10の内面に当接する滑り止め部材82を一体に有する。この滑り止め部材82は、エラストマ−樹脂材、シリコン樹脂材等の弾性材或いは皮によって巻回して形成されている。そして、この滑り止め部材82は周側面に３６０度配置されている。
【００６１】
したがって、蓋体３側を露出した状態でカバー本体10に水筒１を収納すると共に、開口幅調整部材13によって上部開口部８の幅を狭めて水筒本体２の抜け止め作用をなす。そして、保持部材11を握って水筒１を横向きとして携帯するときなどにおいても、水筒１の側面に設けられた滑り止め部材82がカバー本体10の内面に当接することで、水筒本体２がカバー本体10より抜け出ないようになる。
【００６２】
以上のように実施例１１では、略円筒状の水筒１と、前記水筒１を内部に上部開口部８を介して遊嵌するように収納可能な略円筒状のカバー本体10と、前記水筒１の側面に配置され前記カバー本体10の内面に当接する滑り止め部材82を有することにより、滑り止め部材82とカバー本体10との摩擦力によって、水筒１が横向きに保持された時の振幅や、携帯時の振動、飲む際に傾けた時の傾斜等によりカバー７から水筒１が抜け出て落下することを抑制することができる。
【００６３】
また、上部開口部８を狭めるように締め付けることにより、水筒１が横向きに保持された時の振幅や、携帯時の振動、飲む際に傾けた時の傾斜等によりカバー７から水筒１が抜け出て落下することをいっそう抑制することができる。
【００６４】
さらに、滑り止め部材82は水筒１の周面となる側面に３６０度配置されているので、水筒１を横向きとして携帯するときなどにおいて滑り止め部材82の下向き箇所が常時カバー７に当接して抜け止めすることができる。
【００６５】
また、カバー本体10に収納された水筒１の上部たる蓋体３や飲み口カバー６が、前記上部開口部８から一部露出した状態で収納されるものにおいて、カバー本体10に前述のように滑り止め部材19によって水筒１がカバー本体10に対して共回りとなって空回りすることを抑制することができるので、所定角度を保って正しく蓋体３や飲み口カバー６を開閉することができる。
【実施例１２】
【００６６】
図25は実施例12を示しており、実施例12においては、実施例1１と同様に水筒１の側面に配置され前記カバー本体10の内面に当接する滑り止め部材83を一体に有する。この滑り止め部材83は、表面に多数の環状リブを巻回して形成されている。そして、滑り止め部材83を形成する環状リブの中心軸（図示せず）は水筒本体２の中心軸（図示せず）と同じに形成されるものであって、滑り止め部材83も周側面に３６０度配置されている。
【００６７】
以上のように実施例12においても、前記水筒１の側面に配置され前記カバー本体10の内面に当接する滑り止め部材83を有することにより、水筒１が横向きに保持された時の振幅や、携帯時の振動、飲む際に傾けた時の傾斜等によりカバー７から水筒１が抜け出て落下することを抑制することができる。
【実施例１３】
【００６８】
図26は実施例13を示しており、実施例13においては、実施例1１と同様に水筒１の側面に配置され前記カバー本体10の内面に当接する滑り止め部材84を一体に有する。この滑り止め部材84は、表面に間隔をおいて多数形成した突起からなる。そして、滑り止め部材84も周側面に３６０度配置されている。
【００６９】
以上のように実施例１３においても、前記水筒１の側面に配置され前記カバー本体10の内面に当接する滑り止め部材84を有することにより、水筒１が横向きに保持された時の振幅や、携帯時の振動、飲む際に傾けた時の傾斜等によりカバー７から水筒１が抜け出て落下することを抑制することができる。
【産業上の利用可能性】
【００７０】
以上のように本発明にかかる水筒等飲料容器用カバーは、水筒の他に飲料を収容しＰＥＴボトルや金属缶などの用途にも適用できる。
【図面の簡単な説明】
【００７１】
【図１】本発明の実施例１を示す開口幅調整部材の両側を開いた状態の斜視図である。
【図２】本発明の実施例１を示す開口幅調整部材を閉じた状態の斜視図である。
【図３】本発明の実施例１を示す開口幅調整部材の片側を開いた状態の斜視図である。
【図４】本発明の実施例１を示す断面図である。
【図５】本発明の実施例１を示す水筒を横向きとした携帯状態の斜視図である。
【図６】本発明の実施例１を示す水筒を斜め下向きとした携帯状態の斜視図である。
【図７】本発明の実施例１を示す水筒を斜め上向きとした携帯状態の斜視図である。
【図８】本発明の実施例２を示す開口幅調整部材の両側を開いた状態の斜視図である。
【図９】本発明の実施例２を示す開口幅調整部材を閉じた状態の斜視図である。
【図１０】本発明の実施例２を示す断面図である。
【図１１】本発明の実施例３を示す開口幅調整部材の両側を開いた状態の斜視図である。
【図１２】本発明の実施例３を示す開口幅調整部材を閉じた状態の斜視図である。
【図１３】本発明の実施例３を示す断面図である。
【図１４】本発明の実施例４を示す斜視図である。
【図１５】本発明の実施例５を示す開口幅調整部材を開いた状態の斜視図である。
【図１６】本発明の実施例５を示す開口幅調整部材を閉じた状態の斜視図である。
【図１７】本発明の実施例６を示す開口幅調整部材を閉じた状態の斜視図である。
【図１８】本発明の実施例６を示す開口幅調整部材を開いた状態の斜視図である。
【図１９】本発明の実施例７を示す斜視図である。
【図２０】本発明の実施例８を示す斜視図である。
【図２１】本発明の実施例９を示す開口幅調整部材を開いた状態の斜視図である。
【図２２】本発明の実施例９を示す開口幅調整部材を閉じた状態の斜視図である。
【図２３】本発明の実施例１０を示す斜視図である。
【図２４】本発明の実施例１１を示す一部切り欠き分解斜視図である。
【図２５】本発明の実施例１２を示す一部切り欠き分解斜視図である。
【図２６】本発明の実施例１３を示す一部切り欠き分解斜視図である。
【符号の説明】
【００７２】
１  水筒（飲料容器）
３  蓋体（飲料容器の上部）
８  上部開口部
10  カバー本体
11  保持部材
13  開口幅調整部材
18  側面
19  82  83  84  滑り止め部材
【図１】
2006176170.tif 000003
【図２】
2006176170.tif 000004
【図３】
2006176170.tif 000005
【図４】
2006176170.tif 000006
【図５】
2006176170.tif 000007
【図６】
2006176170.tif 000008
【図７】
2006176170.tif 000009
【図８】
2006176170.tif 000010
【図９】
2006176170.tif 000011
【図１０】
2006176170.tif 000012
【図１１】
2006176170.tif 000013
【図１２】
2006176170.tif 000014
【図１３】
2006176170.tif 000015
【図１４】
2006176170.tif 000016
【図１５】
2006176170.tif 000017
【図１６】
2006176170.tif 000018
【図１７】
2006176170.tif 000019
【図１８】
2006176170.tif 000020
【図１９】
2006176170.tif 000021
【図２０】
2006176170.tif 000022
【図２１】
2006176170.tif 000023
【図２２】
2006176170.tif 000024
【図２３】
2006176170.tif 000025
【図２４】
2006176170.tif 000026
【図２５】
2006176170.tif 000027
【図２６】
2006176170.tif 000028